(57)【特許請求の範囲】
【請求項１】
データバンク（２）と、操作素子（３）と、表示器（４）とを有する自動車情報装置であって、
前記データバンクは多数の登録を含んでおり、
当該登録はその上位のレジスタにより分類されており、
前記操作素子は運動により操作され、個々の登録を選択するためのものであり、
前記表示器は、操作素子（３）により選択された登録の情報内容を表示するものである、自動車情報装置において、
検知装置（５）が設けられており、
該検知装置は、操作素子（３）の運動速度を検出し、
該検知装置（５）は、カウンタ（８）および比較器（９）を有し、
前記カウンタ（８）は、前記操作素子（３）により選択された各登録によって計数パルスを受け取り、
前記比較器（９）は、所定の時間内に所定の最小数の順次連続する登録が選択される場合、個々の登録の表示から上位のレジスタの表示に切り替える、ことを特徴とする自動車情報装置。
【請求項２】
データバンク（２）と、操作素子（３）と、表示器（４）とを有する自動車情報装置であって、
前記データバンクは多数の登録を含んでおり、
当該登録はその上位のレジスタにより分類されており、
前記操作素子は運動により操作され、個々の登録を選択するためのものであり、
前記表示器は、操作素子（３）により選択された登録の情報内容を表示するものである、自動車情報装置において、
検知装置（５）が設けられており、
該検知装置は、操作素子（３）の運動速度を検出し、
該検知装置（５）は、タイマ（１０）、メモリ（１１）および比較器（９）を有し、
前記タイマ（１０）は、前記操作素子（３）の操作の際に、順次連続する２つの登録をめくる間に経過する時間を検出し、
前記メモリ（１１）は、所定数の順次連続する測定に対してそれぞれ検出された時間を記憶し、
前記比較器（９）は、順次連続する測定が所定数であるときに、記憶された時間がそれぞれ所定の最大時間以下に留まる場合、個々の登録の表示から上位のレジスタの表示に切り替える、ことを特徴とする自動車情報装置。
【請求項３】
前記操作素子（３）は回転ノブである、請求項１または２記載の自動車情報装置。
【請求項４】
スイッチ（６）が設けられており、
該スイッチにより表示器（４）は上位のレジスタの表示から個々の登録の表示に切り替えられる、請求項１から３までのいずれか１項記載の自動車情報装置。
【請求項５】
前記スイッチ（６）は前記操作素子（３）に組み込んで配置されている、請求項４記載の自動車情報装置。
【請求項６】
時限素子（７）が設けられており、
該時限素子は、所定時間の経過後、上位のレジスタの表示から個々の登録の表示に切り替える、請求項１から５までのいずれか１項記載の自動車情報装置。
【請求項７】
パラメータメモリ（１２）が設けられており、
該パラメータメモリには表示切り替えの尺度となるパラメータが自由プログラミング可能に記憶されている、請求項１記載の自動車情報装置。
【請求項８】
制御ユニット（１３）が設けられており、
該制御ユニットは、前記操作素子（３）の操作の際に操作ダイナミック特性を所定時間にわたって記録し、評価し、自動的に前記パラメータメモリ（１２）において表示切り替えの尺度となるパラメータを適合する、請求項７記載の自動車情報装置。
【請求項９】
通報器（１４）が設けられており、
該通報器は、上位のレジスタの表示と個々の登録の表示との間の表示切り替えを光学的および／または音響的に確認する、請求項１から８までのいずれか１項記載の自動車情報装置。
【請求項１０】
前記操作素子（３）は触覚的特性を有しており、
該触覚的特性は、上位のレジスタの表示と個々の登録の表示との間で表示器が切り替えられるときに変化する、請求項１から９までのいずれか１項記載の自動車情報装置。
【発明の詳細な説明】
【０００１】
【発明の属する技術分野】
本発明は、データバンクと、操作素子と、表示器とを有する自動車情報装置であって、前記データバンクは多数の登録を含んでおり、当該登録はその上位のレジスタにより分類されており、前記操作素子は運動により操作され、個々の登録を選択するためのものであり、前記表示器は、操作素子により選択された登録の情報内容を表示するものである、自動車情報装置に関する。
【０００２】
【従来の技術】
このような自動車情報装置は種々の適用に対して公知である。しかしこれらの装置はユーザーに対して通常は、データバンクで登録を検索するのにあまり快適ではない。この欠点は、データバンクが大容量になればなるほど大きくなる。
【０００３】
例えばユーザーがアドレスデータバンクに所定の登録、例えば頭文字Ｐの所定の名前の下に電話番号を検索しようとする、このためにユーザーはまず自動車情報装置を作動させ、アドレスデータバンクを呼び出す。このデータバンクをオープンすると通常はそこに第１の登録が表示される。例えばアドレスデータバンクは頭文字Ａの名前、並びにこれに所属する電話番号を表示する。次に自動車情報装置の操作素子の操作によってユーザーは、目的の登録を見つけるまですべての登録をめくらなければならない。このことは場合によっては非常に骨が折れる。データバンクが例えば２００以上の登録を有しており、各頭文字にも多数のサブ登録があれば、所望の登録に達するまでユーザーは操作素子を長時間操作しなければならない。しかし時間のかかる操作様式は快適でない。さらに前記の操作様式は、自動車情報装置では車両の運転を行うユーザーの注意を散漫にし、このことは安全性の点から由々しい問題である。
【０００４】
【発明が解決しようとする課題】
本発明の課題は、データバンクを有する自動車情報装置において検索過程を迅速に行い、以てこのような装置のユーザーの快適性を向上させることである。
【０００５】
【課題を解決するための手段】
この課題は冒頭に述べた自動車情報装置において本発明の第1発明により、検知装置が設けられており、
該検知装置は、操作素子の運動速度を検出し、
該検知装置は、カウンタおよび比較器を有し、
前記カウンタは、前記操作素子により選択された各登録によって計数パルスを受け取り、
前記比較器は、所定の時間内に所定の最小数の順次連続する登録が選択される場合、個々の登録の表示から上位のレジスタの表示に切り替えるように構成して解決される。
また前記課題は本発明の第2発明により、検知装置が設けられており、
該検知装置は、操作素子の運動速度を検出し、
該検知装置は、タイマ、メモリおよび比較器を有し、
前記タイマは、前記操作素子の操作の際に、順次連続する２つの登録をめくる間に経過する時間を検出し、
前記メモリは、所定数の順次連続する測定に対してそれぞれ検出された時間を記憶し、
前記比較器は、順次連続する測定が所定数であるときに、記憶された時間がそれぞれ所定の最大時間以下に留まる場合、個々の登録の表示から上位のレジスタの表示に切り替えるように構成して解決される。
【０００６】
【発明の実施の形態】
操作素子の運動速度の検出、および加速された運動の検知に依存して個々の登録の表示を上位のレジスタの表示に切り替えることにより、操作過程が格段に低減される。このことにより自動車情報装置のユーザーは所定の登録をデータバンクに検索する際に、別の操作素子を操作する必要が無く、これにより快適性が得られる。提案された手段は格別の効率上昇を意味する。なぜならこれにより、ユーザーがデータバックをめくる時間がこれまで必要だったよりも短縮されからである。ユーザーはいずれにしろ必要である操作素子の操作態様によって個々の登録の上位の分類レベルに移ることができ、この分類レベルでユーザーは迅速に登録領域にアクセスすることができる。この登録領域はデータバンクに含まれるデータ量全体と比較して狭く制限されており、従って所望の登録を見つけるのが非常に簡単である。従って本発明により所定の登録を探索する際の速度が格段に低減されるという利点を有し、このことはユーザーにより快適性として認識される。
【０００７】
さらに、自動車情報装置がその能力の限界領域にもたらされるということがまずないことも利点である。登録を登録ごとにめくる際には、自動車時報装置は大量のデータを処理し、表示しなければならないが、本発明ではレジスタの短い分離特徴を表示すれば良いだけである。従って本発明の解決手段は、ユーザーの入力をフィードバックする際に格段に短いシステム応答時間を実現するのに寄与する。なぜなら、単位時間当たりに表示すべき符号が少ないからである。システムのこの迅速な応答はユーザーには改善および快適性の向上として認知される。
【０００８】
本発明の構成では、検知装置がカウンタと比較器を有し、カウンタは操作素子によって選択された各登録により計数パルスを受け取り、比較器は、所定の時間内に所定の最小数だけ順次連続して登録が選択されたなら、表示を個々の登録表示から上位のレジスタへの表示に切り替える。
【０００９】
択一的に、検知装置はタイマ、メモリおよび比較器を有しする。ここで、タイマは操作素子の操作の際に２つの順次連続する登録をめくる間に経過する時間を検出する。メモリは、順次連続する所定数の測定に対してそれぞれ求められた時間を記憶する。また比較器は、順次連続する所定数の測定において、記憶された時間がそれぞれ所定の最大時間以下に留まる場合、個々の登録の表示から上位のレジスタの表示に切り替える。
【００１０】
自動車情報装置の操作素子を回転ノブとして構成すると有利である。上位のレジスタの表示を個々の登録の表示に再び切り替えるためにスイッチを設けると有利である。しかしこの切り替えは、時限素子により所定時間経過した後に上位のレジスタの表示から個々の登録の表示へ自動的に切り替わるようにする。自動車情報装置の操作はユーザーに対して次のようにするととりわけ簡単である。すなわち、前記のスイッチが操作素子に組み込み配置され、これによりユーザーは表示を切り替えるために操作素子を単に軽く押せばよいようにするのである。
【００１１】
本発明の別の構成では、上位のレジスタを表示するため個々の登録表示から切り替えるには、操作素子を押すと同時に運動させる。その結果、検知装置は切換過程により作動される。この構成は、操作素子の運動が存在しているか否かということだけを検出する構成よりも簡単である。
【００１２】
自動車情報装置にはパラメータメモリを装備することができ、このメモリには表示切り替えに対する尺度となるパラメータがプログラミング可能に記憶される。
【００１３】
これらのパラメータは、カウンタおよび比較器を検知装置で使用する場合には、持続時間と順次連続する登録の最小数である。
【００１４】
また、タイマ、メモリおよび比較器を使用する場合には、順次連続する所定数の測定と、表示切り替えをトリガするために重要な最大許容測定時間と、前記の基準を測定時間について満たさなければならない測定の所定最小量である。表示を行っている時間はタイマにより検出され、その測定時間はメモリに記憶される。
【００１５】
さらに制御ユニットを設けることができ、この制御ユニットは操作ダイナミック特性を操作素子の操作の際に所定の時間にわたって記録し、評価し、自動的にパラメータメモリにおいて、表示切り替えに対する尺度となるパラメータの値をユーザーの操作態様に最適に適合する。
【００１６】
自動車情報装置に通報器を設けると有利であり、この通報器は上位のレジスタの表示と個々の登録の表示との切り替えを光学的および／または音響的に確認する。自動車情報装置の操作素子が触覚的特性により構成されていれば、この触覚的特性をユーザーへのフィードバックとして、表示をレジスタ表示と個々の登録の表示との間で切り替える際に変化させることができる。
【００１７】
【実施例】
図１Ａ，Ｂには、上位概念記載の自動車情報装置１が示されており、この自動車情報装置にはデータバンク２が組み込まれている。自動車情報装置１には操作素子３と表示器４が装備されている。操作素子３は有利には回転ノブとして構成されている。
【００１８】
データバンク２をオープンすると、表示器４に第１の登録が表示される。この例では、”Albert-Tel.06103/45335”である。操作素子３の操作によって表示器４はデータバンクの次の登録を表示する。これは例えば、”Armin-Tel.06142/4333”である。ユーザーが登録”Peter-Tel.069/1223456”を検索しようとする場合、ユーザーは直観的に操作素子３をより急速に操作し、アルファベット順に配列された多数の登録をめくる。本発明によれば、操作素子３の加速された運動が検知装置５により検知される。
【００１９】
検知装置５が操作素子３の加速された運動を検知すると直ちに、表示器４が個々の登録の表示からレジスタの表示に切り替えられる。これは図２ＡとＢに示されている。ここで選択されたアドレスデータバンクの例では、レジスタの分類特徴に対してアルファベットの頭文字が選択される。表示器４は従って、操作素子３の加速された運動を検知すると、上位のレジスタに切り替わり操作素子３のさらなる操作で順次連続してアルファベットの頭文字、ここではＡ，Ｂ等を表示する。前記の検索例で頭文字Ｐが表示されると直ちに、ユーザーは上位のレジスタではなく、個々の登録を表示させることを欲する。
【００２０】
回転ノブの回転軸にスイッチ６またはキーを設けると有利である。これによりユーザーは操作素子３を軽く押すだけで表示を切り替えることができる。レジスタ文字Ｐの下にサブ登録があっても、例えば付加的に登録”Paul”とその電話番号があっても、ユーザーは目的の登録”Peter-Tel.169/123456”に達するには、回転ノブをさらに僅かだけ運動させるばよい。従って表示器４を個々の登録の表示から上位のレジスタの表示に切り替えることは登録を迅速に探索するための有効な手段である。
【００２１】
択一的にまたは補充的に、スイッチ６に時限素子７を設けることができる。この時限素子４は所定時間経過した後、レジスタの表示を個々の登録の表示に切り替える。回転ノブが例えば数秒間操作されなければ、表示の切り替えをこのようにしてユーザーの操作なしで行うことができる。
【００２２】
図３には、表示切り替えに対するフローチャートがカウンタ８と比較器９を使用する場合で示されている。検知装置５が第１の操作イベントを検知すると直ちに、カウンタ８がスタートする。ここでカウンタ８のスタートはパルスＥによりトリガされる。このパルスは登録をめくる際の表示器４の各変化により形成される。すなわち例えば表示器を登録”Albert”から登録”Armin”に切り替える際に形成される。表示器のさらなる変化の際にカウンタ８はさらに計数パルスを受け取り、従ってカウンタ８は操作素子３の操作によって多数の順次連続する計数パルスＥ１からＥＮを記録する。自動車情報装置に固定的にプログラミングされた時間が経過するとカウンタ８は停止し、その計数状態Ｎが比較器９に供給される。カウンタ８のスタートから記録された計数パルスの数が自動車情報装置に固定的にファイルされた最小数Ｎｍｉｎに達するかまたは上回ると、比較器９は表示器４を個々の登録の表示から上位のレジスタの表示に切り替える。その他の場合、計数状態Ｎはその初期値にリセットされ、カウンタ８は次の計数過程の準備をする。
【００２３】
択一的に検知装置５は、タイマ１０，メモリ１１および前の検知装置５の実施例と同じように比較器９を有することができる。この解決手段を使用すれば、図４に示した表示切り替えに対するフローチャートが得られる。操作イベントの検知によりタイマ１０がスタートする。前に述べたようにここでも登録をめくる際の表示器４の各切り替えがパルスＥを形成しなければならない。操作素子３が所定の時間、操作されずにいた後で、表示器での第１の切り替えがパルスＥ１を形成する。後続のパルスＥ２が到来すると、タイマ１０は再びストップする。従ってタイマ１０は、操作素子３の操作による登録をめくる際に、順次連続するパルスＥ１とＥ２との間で経過する時間Ｔを検出する。メモリ１１は、自動車情報装置に固定的にプログラミングされた順次連続する測定数Ｋに対して、それぞれ検出された時間Ｔを中間記憶する。比較器９は次に、順次連続する測定が所定数Ｍであるときに、所属の記憶された時間Ｔがそれぞれの所定最大時間Ｔｍａｘを下回っている場合、表示器４を個々の登録の表示から上位のレジスタの表示に切り替える。記憶された測定Ｋの大きさから、少なくとも部分量Ｍ（測定の所定最小量Ｍｍｉｎよりも大きい）において測定時間Ｔについての前記の基準を満たしていなければならない。それ以外の場合、表示器４の切り替えは行われず、新たに測定サイクルが開始する。
【００２４】
図５には再度、簡単なブロック図にデータバンクを有する自動車情報装置に対する本発明の解決手段が示されている。自動車情報装置１は、ユーザーへのインターフェースとして操作素子３，表示器４および通報器１４を有する。通報器は、表示器の切り替えが行われる際に音響的フードバックを行うために設けられている。内部構成群ないし機能ユニットとして自動車情報装置１は、多数の登録を含むデータバンク２，操作素子３の操作ダイナミック特性に指向された検知装置５，スイッチ６、ないし表示器４を上位のレジスタ表示からデータバンク２の個々の登録表示にリセットするための時限素子、７、カウンタ８および比較器９または択一的にタイマ１０、メモリ１１および比較器９，パラメータメモリ１２および制御ユニット１３を有する。
【００２５】
パラメータメモリ１２は、表示切り替えに対する尺度となるパラメータすべて、または少なくとも重要な部分を含んでいる。検知装置５の構成に応じて、パラメータは、
・カウンタ８が順次連続する計数パルスＥ１からＥＮを記録する間の時間の長さと、表示器４の切り替えに必要な順次連続する登録の最小数Ｎｍｉｎ、または・順次連続する測定の所定数Ｋ。これら測定の表示器４に留まる時間がタイマ１０により測定時間Ｔとして検出され、メモリ１１に記憶される。表示器４の切り替えをトリガするのに重要な最大許容の測定時間Ｔである最大時間Ｔｍａｘ。および前記の測定時間Ｔについての基準を満たさなければならない測定の最小量Ｍｍｉｎである。
【００２６】
これらのパラメータはパラメータメモリ１２に有利にはプログラミング可能に記憶すべきである。
【００２７】
表示器４の応答特性をユーザの操作特性に個別に適合するため、自動車情報装置に制御ユニット１３を設けることができ、この制御ユニットは、操作素子３を操作する際の操作ダイナミック特性を所定の時間にわたり記録し、評価し、自動的にパラメータメモリ１２において表示切り替えの尺度となるパラメータに適合する。
【図面の簡単な説明】
【図１】データバンクの個々の登録内容を示す概略図である。
【図２】レジスタの分類特徴を示す概略図である。
【図３】カウンタと比較器を使用する場合の表示切り替えに対するフローチャートである。
【図４】タイマ、メモリ、比較器を使用する場合の表示切り替えに対するフローチャートである。
【図５】自動車情報装置における本発明の手段を簡単に示す概略図である。
【符号の説明】
１  自動車情報装置
２  データバンク
３  操作素子
４  表示器
５  検知装置
６  スイッチ
７  時限素子
８  カウンタ
９  比較器
１０  タイマ
１１  メモリ
１２  パラメータメモリ
１３  制御ユニット
【図１】
0004124300.tif 000002
【図２】
0004124300.tif 000003
【図３】
0004124300.tif 000004
【図４】
0004124300.tif 000005
【図５】
0004124300.tif 000006